(57)【要約】【課題】金属製のカバー部材にカードの誤挿入防止機能を付与させるものにあって、カードを損傷させることなく精度の高い誤挿入防止機能を確保できるカード用コネクタ装置の提供。【解決手段】カード１が装着されるハウジング４と、このハウジング４に設けられ、カード１の外部接触部３と接触可能な端子部材５と、ハウジング４を覆うカバー部材６とを備えるとともに、このカバー部材６に、カード１の挿入方向に対してほぼ直交する面を形成し、誤挿入されたカード１の前端部１ａが当接するカード当接部１０と、カード１の挿入方向に沿って延び、誤挿入されたカード１によるカード当接部１０の変形を阻止する変形阻止部１１とを有する第２ストッパ部材９を設けた。【選択図】      図７
2004185971.tif 000002
【特許請求の範囲】
【請求項１】
カードが装着されるハウジングと、このハウジングに複数並設され、上記カードに形成された外部接触部のそれぞれと接触可能な端子部材と、上記ハウジングを覆う金属製のカバー部材とを備えるとともに、
上記カードの挿入空間内に突出するように上記カバー部材に設けられ、誤挿入された上記カードの所定の装着位置方向への移動を阻止するストッパ部材を備え、
このストッパ部材が、上記カードの挿入方向に対してほぼ直交する面を形成し、誤挿入された上記カードの前端部が当接するカード当接部と、上記カードの挿入方向に沿って延び、誤挿入された上記カードによる上記カード当接部の変形を阻止する変形阻止部とを有することを特徴とするカード用コネクタ装置。
【請求項２】
上記請求項１記載の発明において、
上記ストッパ部材を、誤挿入された上記カードと上記端子部材との接触を生じさせない形状寸法に設定したことを特徴とするカード用コネクタ装置。
【請求項３】
上記請求項２記載の発明において、
上記変形阻止部が、上記カバー部材の切り起こし部の一部を形成するとともに、
上記カード当接部が、上記切り起こし部からさらに切り起こされて成り、
このカード当接部と上記変形阻止部の端部とが当接するように、これらのカード当接部と変形阻止部とを位置させたことを特徴とするカード用コネクタ装置。
【請求項４】
上記請求項１〜３のいずれかに記載の発明において、
上記変形阻止部を上記ハウジングに当接するように設けたことを特徴とするカード用コネクタ装置。
【請求項５】
上記請求項１記載の発明において、
上記カバー部材が、上記カードの当接部に対して上記カードの挿入方向と直交する方向のほぼ同一位置に設けられ、誤挿入された上記カードの前端部が当接する、上記ストッパ部材とは別のストッパ部材を有することを特徴とするカード用コネクタ装置。
【発明の詳細な説明】
【０００１】
【発明の属する技術分野】
本発明は、電子機器に使用されるカードに対する誤挿入防止機能を有するカード用コネクタ装置に関する。
【０００２】
【従来の技術】
この種の従来技術として、カード挿入空間を形成する上板と下板から成るハウジングを備えるとともに、このハウジングの下板に、カードの裏面側の凹部内に形成された外部接触部のそれぞれと接触可能な端子部材を、複数並設させたカード用コネクタ装置がある。
【０００３】
この従来技術では、カードが前後を逆にして挿入されたときに、カードの奥側端部が当接するリブをハウジングの下板に設けてある。したがって、カードが誤挿入された場合には、カードの端部がリブに衝合し、カードを所定の装着位置まで挿入させることができない。これにより、誤挿入されたカードによる端子部材の変形を防止することができる。
【０００４】
なお、カードが裏面側を下にした正しい形態で挿入されたときには、前述したリブが、カードの裏面側の前述した凹部内に収容される。したがって、カードを所定の装着位置まで支障なく挿入させることができる（例えば、特許文献１、参照。）。
【０００５】
【特許文献１】
特開２００１−１６０４５８
（段落番号００３８〜００４９、図７）
【０００６】
【発明が解決しようとする課題】
ところで、上述した従来技術では、上述のようなカード挿入形態とは異なり、正しいカードの挿入形態が、外部接触部が形成されている裏面側を上にして挿入される形態であるリバースタイプを考えた場合に問題がある。
【０００７】
このようなリバースタイプのコネクタ装置において、下側部分を端子部材が保持される例えば樹脂製のハウジングによって形成し、上側部分をハウジングを覆う金属製のカバー部材としたとき、カードの誤挿入防止機能の確保が難しくなる。
【０００８】
すなわち、上述の従来技術におけるリブを下側部分に形成しようとすると、正しい形態でカードが挿入されるとき、すなわち、裏面側を上にして挿入されるとき、リブが収容されるべき凹部がカードの上側に位置することから、カードの奥側端部がリブに衝合し、所定の装着位置まで挿入することができなくなる。
【０００９】
したがって、金属製のカバーの一部を切り起こして、誤挿入されたカードの移動を阻止するストッパ壁を設けることが考えられるが、このように単に切り起こしたストッパ壁では、カードが挿入される際の力を受けて簡単に変形してしまう。また、ストッパ壁のエッジ部分がカードに食い込んでしまう虞もある。
【００１０】
すなわち、このようにリバースタイプにおいて金属製のカバー部材を設けた場合には、誤挿入防止機能が劣化しやすく、また、カードを損傷させてしまう懸念があり、コネクタ装置としての信頼性が低下する問題がある。
【００１１】
本発明は、上述した従来技術における実状からなされたもので、その目的は、金属製のカバー部材にカードの誤挿入防止機能を付与させるものにあって、カードを損傷させることなく精度の高い誤挿入防止機能を確保できるカード用コネクタ装置を提供することにある。
【００１２】
【課題を解決するための手段】
上記目的を達成するために、本発明は、カードが装着されるハウジングと、このハウジングに複数並設され、上記カードに形成された外部接触部のそれぞれと接触可能な端子部材と、上記ハウジングを覆う金属製のカバー部材とを備えるとともに、上記カードの挿入空間内に突出するように上記カバー部材に設けられ、誤挿入された上記カードの所定の装着位置方向への移動を阻止するストッパ部材を備え、このストッパ部材が、上記カードの挿入方向に対してほぼ直交する面を形成し、誤挿入された上記カードの前端部が当接するカード当接部と、上記カードの挿入方向に沿って延び、誤挿入された上記カードによる上記カード当接部の変形を阻止する変形阻止部とを有することを特徴としている。
【００１３】
このように構成した本発明は、カードが誤挿入されると、カードの前端部がカード当接部に当接する。したがって、誤挿入されたカードの所定の装着位置方向への移動は、カード当接部によって阻止される。このとき、カードの先端部はカード当接部の面に接触するので、何らカードが損傷することはない。
【００１４】
また、この状態においてカードに対して押し込み力が与えられると、その押し込み力がカード当接部に伝えられるが、このカード当接部に伝えられる力は変形阻止部に伝えられる。この変形阻止部は、カードの挿入方向に沿って延びるものであることから、カード挿入方向に沿う押し込み力に対して十分な強度を有する。したがって、カードに与えられた押し込み力によるカード当接部の変形を、変形阻止部を介して防止でき、誤挿入されたカードを、その先端部がカード当接部に当接する位置に確実に停止させることができる。これらにより、精度の高い誤挿入防止機能を確保できる。
【００１５】
また本発明は、上記発明において、上記ストッパ部材を、誤挿入された上記カードと上記端子部材との接触を生じさせない形状寸法に設定したことを特徴としている。
【００１６】
このように構成した本発明は、誤挿入されたカードに与えられる押し込み力を端子部材に伝えることがなく、この端子部材の変形を確実に防止できる。
【００１７】
また本発明は、上記発明において、上記変形阻止部が、上記カバー部材の切り起こし部の一部を形成するとともに、上記カード当接部が、上記切り起こし部からさらに切り起こされて成り、このカード当接部と上記変形阻止部の端部とが当接するように、これらのカード当接部と変形阻止部とを位置させたことを特徴としている。
【００１８】
このように構成した本発明は、変形阻止部とカード当接部とをカバー部材の切り起こし部によって形成させてあるので、これらの変形阻止部とカード当接部の製作が容易であるとともに、部品数の増加を招くことがない。また、カード当接部を変形阻止部の端部に当接するように位置させたことから、カード当接部に与えられる力を直ちに変形阻止部に伝えることができ、カード当接部の変形を確実に防ぐことができる。
【００１９】
また本発明は、上記発明において、上記変形阻止部を上記ハウジングに当接するように設けたことを特徴としている。
【００２０】
このように構成した本発明は、誤挿入されたカードに与えられた押し込み力が、カード当接部、変形阻止部を介してハウジングに伝えられる。したがって、変形阻止部の変形は、この変形阻止部よりも大きな強度を確保し得るハウジングによって防止できる。このように、誤挿入されたカードに与えられた押し込み力によるカード当接部の変形を、変形阻止部及びハウジングを介してより確実に防止できる。
【００２１】
また本発明は、上記発明において、上記カバー部材が、上記カードの当接部に対して上記カードの挿入方向と直交する方向のほぼ同一位置に設けられ、誤挿入された上記カードの前端部が当接する、上記ストッパ部材とは別のストッパ部材を有することを特徴としている。
【００２２】
このように構成した本発明は、誤挿入されたカードに与えられる押し込み力は、ストッパ部材のカード当接部に伝えられるとともに、別のストッパ部材にも伝えられる。すなわち、誤挿入されたカードに与えられた押し込み力が、カード当接部と別のストッパ部材とに分散して伝えられる。したがって、カード当接部に伝えられる力が低減される。これにより、カード当接部の変形をより確実に防止できる。
【００２３】
【発明の実施の形態】
以下，本発明のカード用コネクタ装置の実施形態を図に基づいて説明する。
【００２４】
［使用されるカードの基本構成］
図１は本実施形態において使用されるカードを示す図で、（ａ）図は平面図、（ｂ）図は裏面側を示す斜視図である。
【００２５】
この図１に示すように、本実施形態で使用されるカード１は情報記憶機能を有するものであり、例えば前端部１ａの側縁部に切り欠き２を有している。また、前端部１ａの裏面側には（ｂ）図に示すように、溝３ａが形成され、この溝３ａ内には複数の外部接触部３が設けられている。
【００２６】
［ハウジングの基本構成］
本実施形態は、主にハウジングと、このハウジングを覆う金属製のカバー部材とによって全体が構成されている。はじめにハウジングについて説明し、次にカバー部材について説明する。
【００２７】
図２は本実施形態に備えられるハウジング部分を示す図で、（ａ）図は平面図、（ｂ）図は正面図、（ｃ）図は裏面図、（ｄ）図は（ａ）図のＡ−Ａ断面図である。
【００２８】
本実施形態は、裏面側を上にして挿入される形態であるリバースタイプに適用させたものであり、基台を構成するハウジング４を備えている。このハウジング４の手前側位置には、上述したカード１が挿入される挿入口４ａを有し、奥側位置には壁部４ｂを有し、上面の上方領域には、カード１が挿入される挿入空間４ｃを有している。奥側に位置する壁部４ｂには、カード１の複数の外部接触部３のそれぞれに接触可能な端子部材５を並設させてある。この端子部材５の位置が、正しい形態でカード１が挿入されたときの所定の装着位置を形成する。
【００２９】
［カバー部材の基本構成］
図３は本実施形態に備えられるカバー部材を示す斜視図、図４は図３に示すカバー部材を裏側から見た斜視図である。
【００３０】
上述したハウジング４を覆うように設けられる金属製のカバー部材６は、奥側位置に上述の端子部材５それぞれの一部の突出を許容させる複数の窓部７を有している。これらの窓部７のそれぞれの手前側には第１ストッパ部材８を設けてある。この第１ストッパ８は、例えばカバー部材６から切り起こされ、ハウジング４の挿入空間４ｃに向って突出する複数の突出部から成っている。これらの突出部は、カード１の挿入方向と直交する方向の同一位置にそれぞれの面部が位置するように並設させてあり、誤挿入されたカード１の前端部１ａが当接するものである。また、これらの突出部の高さ寸法は、上述したカード１の溝３ａの深さ寸法よりも低くなるように設定してある。すなわち、カード１が正しい形態で挿入されたときには、第１ストッパ部材８を形成する突出部のそれぞれが、カード１の外部接触部３に当ることなく溝３ａ内に収容可能なように、この第１ストッパ部材８の突出部のそれぞれの高さ寸法を設定してある。
【００３１】
また特に、本実施形態は、カバー部材６に、上述した第１ストッパ部材８とは異なる第２ストッパ部材９を設けてある。
【００３２】
この第２ストッパ部材９も、カード１の挿入空間４ｃ内に突出するようにカバー部材６に設けたものであり、誤挿入されたカード１の所定の装着位置方向への移動を阻止するものである。この第２ストッパ部材９は、カード１の挿入方向に対してほぼ直交する面を形成し、誤挿入されたカード１の前端部１ａが当接するカード当接部１０を備えている。また、カード１の挿入方向に沿って延び、誤挿入されたカード１に対するカード当接部１０の変形を阻止する変形阻止部１１を備えている。
【００３３】
この第２ストッパ部材９は、誤挿入されたカード１と上述の端子部材５との接触を生じさせない形状寸法に設定してある。また、この第２ストッパ部材９は、上述したカード１の切り欠き２の奥行き寸法、幅寸法よりも小さい奥行き寸法、幅寸法にそれぞれ設定してある。すなわち、カード１が正しい形態で挿入されたときには、この第２ストッパ部材９の全体がカード１の切り欠き２内に収容されるように、この第２ストッパ部材９の形状寸法を設定してある。なお、上述した第１ストッパ部材９を構成する突出部のそれぞれの面部と、第２ストッパ部材９のカード当接部１０の面部とは、カード１の挿入方向と直交する方向のほぼ同一位置に配置してある。
【００３４】
また、第２ストッパ部材９の変形阻止部１１は、例えばカバー部材６の切り起こし部の一部を形成している。カード当接部１０は例えば、その切り起こし部からさらに切り起こされて成っている。このカード当接部１０と変形阻止部１１の一端部１２とが当接するように、これらのカード当接部１０と変形阻止部１１とを位置させてある。
【００３５】
なお、変形阻止部１１の奥側に位置する他端部１３は、例えば上述したハウジング４の壁部４ｂに当接するように位置させてある。
【００３６】
このように構成したハウジング４とカバー部材６を含む本実施形態に、カード１が挿入されたときの動作について以下に説明する。はじめに、カード１が正しい形態で挿入されたとき、すなわちカード１が裏面を上にして挿入された場合について説明し、次にカード１が誤った形態で挿入されたとき、すなわち誤挿入された場合について説明する。
【００３７】
［カードが正しい形態で挿入された場合］
図５は、本実施形態に正しい形態でカードが挿入されたときの状態をカバー部材を除いて示した図で、（ａ）図は平面図、（ｂ）図は（ａ）図のＢ−Ｂ断面図、（ｃ）図は（ｂ）図のＣ部拡大図である。
【００３８】
この図５に示すように、カード１が正しい形態で、すなわち裏面を上にして挿入口４ａから挿入されると、カード１の前端部１ａは挿入空間４ｃ内に入る。このカード１に与えられる押し込み力によりカード１は所望の装着位置に移動する。例えばカード１の前端部１ａがハウジング４の壁部４ｂに当接する位置まで移動する。
【００３９】
この移動の間、第１ストッパ部材８を形成する上述の突出部のそれぞれは、カード１の溝３ａ内に収容されるのでカード１の移動が、この第１ストッパ部材８によつて阻止されることがない。また、第２ストッパ部材９はカード１の切り欠き２内に収容されるので、カード１の移動がこの第２ストッパ部材９によって阻止されることがない。すなわち、カード１が正しい形態で挿入されたときには、第１，第２ストッパ部材８，９のストッパ機能は無効となり、カード１を何らの支障なく、所定の装着位置まで移動させることができる。
【００４０】
このようにカード１が所定の装着位置に至ると、カード１の外部接触部３と端子部材５のそれぞれ対応するものが接触する。これによって、カード１に対する信号の送受信が可能となる。
【００４１】
なお、このような状態から、カード１を引き抜くと、カード１の外部接触部３と端子部材５との接触が解かれ、カード１に対する信号の送受信は不能となる。
【００４２】
［カードが誤挿入された場合］
図６は本実施形態にカードが例えば表裏を逆にして挿入されたときの状態を示す図で、（ａ）図は平面図、（ｂ）図はハウジングを除いて裏面側から見た図である。図７は上述のように本実施形態にカードが表裏を逆にして挿入されたときの状態を示す図で、（ａ）図は図６の（ａ）図のＤ−Ｄ断面図、（ｂ）図は図７の（ａ）図のＦ部拡大図、（ｃ）図は図６の（ａ）図のＥ−Ｅ断面図、（ｄ）図は図７の（ｃ）図のＧ部拡大図である。
【００４３】
これらの図６，７に示すように、カード１が例えば表裏を逆にして挿入されたとき、すなわち、本来は裏面を上にして挿入されるべきところを、裏面を下にして挿入されたときには、第１，第２ストッパ部材８，９のストッパ機能が働いて、カード１の所定の装着位置への移動が阻止される。
【００４４】
すなわち、挿入口４ａから誤挿入されたカード１は、その先端部１ａが、図７の（ｃ）（ｄ）図に示すように、第１ストッパ部材８を形成する突出部のそれぞれの面部に当接するとともに、図７の（ａ）（ｂ）図に示すように、第２ストッパ部材９のカード当接部１０の面部に当接する。したがって、図７の（ｄ）図に示すように、カード１は、その先端部１ａが端子部材５に接触しない位置で停止し、所定の装着位置への移動が阻止される。このようにしてカード１の誤挿入を防止できる。
【００４５】
このように構成した本実施形態は、カード１が誤挿入された際、カード１の先端部１ａが第１ストッパ部材８を形成する突出部の面部、及び第２ストッパ部材９のカード当接部１０の面部のそれぞれに接触するので、何らカード１に損傷を生じさせることはない。
【００４６】
また、カード１の先端部１ａが第１，第２ストッパ部材８，９に当接したときに、カード１に対して与えられた押し込み力が、上述のように第２ストッパ部材９のカード当接部１０に伝えられるが、このカード当接部１０に伝えられた力は変形阻止部１１に伝えられる。この変形阻止部１１は、カード１の挿入方向に沿って延びるものであることから、カード１の挿入方向に沿う押し込み力に対して十分な強度を有する。したがって、カード１に与えられた押し込み力によるカード当接部１０の変形を、このカード当接部１０が当接する変形阻止部１１を介して防止でき、誤挿入されたカード１を、その先端部１ａがカード当接部１０に当接する位置に確実に停止させることができる。これらにより、精度の高い誤挿入防止機能を確保でき、装置に対する信頼性を向上させることができる。
【００４７】
また本実施形態は、第２ストッパ部材９を、誤挿入されたカード１と端子部材５との接触を生じさせない形状寸法に設定してある。したがって、誤挿入されたカード１に与えられる押し込み力が端子部材５に伝えられることがない。すなわち、誤挿入による端子部材５の変形を確実に防止でき、装置に対する信頼性の向上に貢献する。
【００４８】
また本実施形態は、第２ストッパ部材９の変形阻止部１１とカード当接部１０とをカバー部材６の切り起こし部によって形成させてある。したがって、変形阻止部１１とカード当接部１０の製作が容易であるとともに、部品数の増加を招くことがなく、製作費の抑制に貢献する。なお、カード当接部１０を変形阻止部１１の端部１２に当接するように位置させたことから、カード当接部１０に与えられる力を直ちに変形阻止部１１に伝えることができ、カード当接部１０の変形を確実に防ぐことができる。このようにした構成も、装置に対する信頼性の向上に貢献する。
【００４９】
また本実施形態は、第２ストッパ部材９の変形阻止部１１の他端部１３をハウジング４の壁部４ａに当接するように設けてある。このように構成したことにより、誤挿入されたカード１に与えられた押し込み力が、カード当接部１０、変形阻止部１１を介してハウジング４に伝えられる。したがって、変形阻止部１１の変形は、この変形阻止部１１よりも大きな強度を確保し得るハウジング４によって防止できる。このように、誤挿入されたカード１に与えられた押し込み力によるカード当接部１０の変形を、上述したような変形阻止部１１の他に、ハウジング４を介しても防止できる。すなわち、カード当接部１０の変形をより確実に防止でき、この構成によっても装置に対する信頼性を高めることができる。
【００５０】
また本実施形態は、カード当接部１０及び変形阻止部１１を有する第２ストッパ部材９とは別に、複数の突出部から成る第１ストッパ部材８をカバー部材６に設けてある。このように構成したことにより、誤挿入されたカード１に与えられる押し込み力は、第２ストッパ部材９のカード当接部１０に伝えられるとともに、別のストッパ部材である第１ストッパ部材８にも与えられる。すなわち、誤挿入されたカード１に与えられた押し込み力が、第２ストッパ部材９のカード当接部１０と第１ストッパ部材８とに分散して伝えられる。したがって、カード当接部１０に伝えられる力が低減される。これにより、カード当接部１０の変形をより確実に防止でき、これによっても装置に対する信頼性を高めることができる。
【００５１】
なお、上記ではカード１の表裏を逆にした誤挿入の場合について述べたが、カード１の前後を逆にして挿入される誤挿入の場合も、前述の場合と同様にしてその誤挿入を確実に防止することができる。
【００５２】
【発明の効果】
以上のように、本発明は、カード当接部と、このカード当接部の変形を阻止する変形阻止部とを有するストッパ部材を備えた構成にしてあることから、金属製のカバー部材にカードの誤挿入防止機能を付与させるものにあって、カードを損傷させることなく精度の高い誤挿入防止機能を確保でき、これにより装置に対する信頼性を向上させることができる。
【００５３】
また本発明は、ストッパ部材を、誤挿入されたカードと端子部材との接触を生じさせない形状寸法に設定してある。これにより、カードが誤挿入されたときの端子部材の変形を防止でき、装置の信頼性の向上に貢献する。
【００５４】
また本発明は、上述した変形阻止部とカード当接部をカバー部材から切り起こして形成させてあるとともに、カード当接部と変形阻止部の端部とが当接するように、これらのカード当接部と変形阻止部とを位置させてある。したがって、変形阻止部とカード当接部の製作が容易で、部品数の増加を招くことがなく、製作費の抑制に貢献する。また、カード当接部が変形阻止部の端部に当接することにより、カード当接部の変形を確実に防ぐことができ、装置に対する信頼性の向上に貢献する。
【００５５】
また本発明は、変形阻止部をハウジングに当接するように設けてある、これにより、変形阻止部の変形をハウジングによって防止できる。すなわち、カード当接部の変形を変形阻止部とハウジングとによって確実に防止でき、装置に対する信頼性を高めることができる。
【００５６】
また本発明は、カバー部材が、カードの挿入方向と直交する方向の上述したカード当接部とほぼ同一位置に、誤挿入されたカードの前端部が当接する、上述のストッパ部材とは別のストッパ部材を有する。これにより、誤挿入されたカードに与えられる押し込み力がカード当接部と、別のストッパ部材とに分散され、カード当接部に伝えられる力が低減される。したがって、これによってもカード当接部の変形をより確実に防止でき、装置に対する信頼性を高めることができる。
【図面の簡単な説明】
【図１】本発明のカード用コネクタ装置の一実施形態で使用されるカードを示す図で、（ａ）図は平面図、（ｂ）図は裏面側を示す斜視図である。
【図２】本発明の一実施形態に備えられるハウジング部分を示す図で、（ａ）図は平面図、（ｂ）図は正面図、（ｃ）図は裏面図、（ｄ）図は（ａ）図のＡ−Ａ断面図である。
【図３】本発明の一実施形態に備えられるカバー部材を示す斜視図である。
【図４】図３に示すカバー部材を裏面側から見た斜視図である。
【図５】本発明の一実施形態に正しい形態でカードが挿入されたときの状態をカバー部材を除いて示した図で、（ａ）図は平面図、（ｂ）図は（ａ）図のＢ−Ｂ断面図、（ｃ）図は（ｂ）図のＣ部拡大図である。
【図６】本発明の一実施形態にカードが表裏を逆にして誤挿入されたときの状態を示す図で、（ａ）図は平面図、（ｂ）図はハウシジングを除いて裏面側から見た図である。
【図７】本発明の一実施形態にカードが表裏を逆にして誤挿入されたときの状態を示す図で、（ａ）図は図６の（ａ）図のＤ−Ｄ断面図、（ｂ）図は図７の（ａ）図のＦ部拡大図、（ｃ）図は図６の（ａ）図のＥ−Ｅ断面図、（ｄ）図は図７の（ｃ）図のＧ部拡大図である。
【符号の説明】
１    カード
１ａ  先端部
２    切り欠き
３    外部接触部
３ａ  溝
４    ハウジング
４ａ  挿入口
４ｂ  壁部
４ｃ  挿入空間
５    端子部材
６    カバー部材
７    窓
８    第１ストッパ部材
９    第２ストッパ部材
１０  カード当接部
１１  変形阻止部
１２  一端部
１３  他端部
【図１】
2004185971.tif 000003
【図２】
2004185971.tif 000004
【図３】
2004185971.tif 000005
【図４】
2004185971.tif 000006
【図５】
2004185971.tif 000007
【図６】
2004185971.tif 000008
【図７】
2004185971.tif 000009